(57)【要約】      （修正有）【課題】板材表面の毀損、廃棄を避けることができ、気楽に且つ効率に釘を外すことが可能である釘の提供。【解決手段】釘の胴部には、頭部より先端部に向かって連続の螺旋状に刻まれる、連続傘型ねじ山がある。連続傘型ねじ山には、耐力面及び縁側面があり、且つ耐力面の外径が縁側面の外径より大きいため、連続傘型ねじ山の形状に影響されずに、釘をスムースに板材の奥まで叩きこむことができる。引き抜く場合、直接に工具を使い、釘を回転して出せばよい。【選択図】図２
0003133009.tif 000002
【実用新案登録請求の範囲】
【請求項１】
頭部、胴部、連続傘型ねじ山を具え、
該頭部は、その上に締め付け部が設けられ、止め工具をそこに嵌め合わせてから、釘を回転することができ、
該胴部は、頭部と繋ぐ上に反対側に伸び、胴部の反対側に先端があり、
該連続傘型ねじ山は、胴部の表面を連続螺旋状に刻み、連続傘型ねじ山は先端部から頭部の方向に向かって延び、頭部と近い方向に耐力面があり、当該耐力面の反対側に縁側面が設けられ、また、前記耐力面及び縁側面を繋ぐ周縁面があり、前記耐力面の外径は縁側面の外径より大きいことを特徴とする釘。
【請求項２】
当該釘は複数配列を表現でき、その上に、任意の釘の頭部の一部を削ぎ取って端面を形成し、且つ当該端面を同じ方向で設置し、隣の釘の胴部と接触することを特徴とする請求項1に記載の釘。
【考案の詳細な説明】
【技術分野】
【０００１】
本考案は一種の固定部品であり、特に板材表面の毀損せずに、気楽に且つ効率的に引き抜くことが可能な釘構造を指す。
【背景技術】
【０００２】
図１を参照すること。周知の釘1には頭部11、当該頭部11の表面にある締め付け部111、頭部11と接続する胴部12、胴部12の端部に形成されている先端部121、胴部12の表面を螺旋状に刻み且つ頭部と近いところに設けられているねじ山13、及びねじ山13の上にある且つねじ山13を切断する複数の槽131が含まれている。
【０００３】
釘を止めるときに、釘1は叩き工具(例：ハンマー)により頭部11を叩き、先端部121は板材(図面に未表示)の内部に入り、最後に釘1全体が板材の中に沈む。取り抜く場合、工具(例：空圧工具)を釘1の頭部11の締め付け部111に固定し、工具を回転するときに生じたねじり力を利用して釘1を回し、釘1を板材の上に浮かさせ、引き続き金てこを浮起している釘の頭部11に当てはめ合わせ、てこ装置を利用して釘1を取り抜く。
【０００４】
但し、実際に使用してから、従来の釘1には以下の欠点がある。その詳細は以下の通り。
釘1を取り抜くときに、まず空圧工具を回転して、その後、金てこを合わせて使わなければいけないことに鑑み、取り抜くときに、使用上の不便さまたは時間の無駄を感じる。なお、金てこで取り抜く方法は、大きな力を使わなければいけない上に、板材の表面を毀損し、結局板材のリサイクル使用ができなくなり、材料の無駄使いになる。
【０００５】
前記に続き、ここでは前記状況を避けることが難しい理由を述べる。それは、従来の釘1のねじ山13は胴部12の表面に螺旋状に刻まれ、且つ頭部と近いところに設置されているからである。言い換えれば、胴部12全体の表面を螺旋状に刻むことが不能であったため、上、下切削面132、133で作られたねじ山13は、釘を板材の中へ叩き込むときに邪魔になるからである。また、従来の釘1を取り外すときに、必ず空圧工具を回して、その後、金てこで取り抜かなければいけなかったのである。二つの動作もあるため、改善する余地があると思われる。
【考案の開示】
【考案が解決しようとする課題】
【０００６】
そのため、本考案の目的は、板材表面を毀損せずに気楽に且つ効率的にとり抜くことが可能な釘構造を提案することである。
本考案の釘には頭部、頭部と繋ぐ胴部、頭部の表面を螺旋状に刻む連続傘型ねじ山が含まれている。その中に、前記頭部の表面に締め付け部が設けられている。前記胴部の反対側に先端部がある。なお、前記連続傘型ねじ山は先端部から頭部方向に向かって延長している。上記構造により、本考案の釘をスムースに板材の中へ叩き込まれることが可能である。とりぬけるとき、工具を使えば直接に釘を回転して取り出すことができる。引き抜く作業は一切不要のため、板材表面を毀損せずに、使用者が釘を取り外すときに使う力及び時間を大幅に節約することが可能である。その上に、釘を取り外してから、当該板材はリサイクル使用できるため、無駄使いにならない。
【課題を解決するための手段】
【０００７】
請求項１の考案は、頭部、胴部、連続傘型ねじ山を具え、
該頭部は、その上に締め付け部が設けられ、止め工具をそこに嵌め合わせてから、釘を回転することができ、
該胴部は、頭部と繋ぐ上に反対側に伸び、胴部の反対側に先端があり、
該連続傘型ねじ山は、胴部の表面を連続螺旋状に刻み、連続傘型ねじ山は先端部から頭部の方向に向かって延び、頭部と近い方向に耐力面があり、当該耐力面の反対側に縁側面が設けられ、また、前記耐力面及び縁側面を繋ぐ周縁面があり、前記耐力面の外径は縁側面の外径より大きいことを特徴とする釘としている。
請求項２の考案は、当該釘は複数配列を表現でき、その上に、任意の釘の頭部の一部を削ぎ取って端面を形成し、且つ当該端面を同じ方向で設置し、隣の釘の胴部と接触することを特徴とする請求項1に記載の釘としている。
【考案の効果】
【０００８】
本考案の釘の胴部には、頭部より先端部に向かって連続の螺旋状に刻まれる、連続傘型ねじ山がある。前記連続傘型ねじ山には、耐力面及び縁側面があり、且つ当該耐力面の外径が縁側面の外径より大きいため、連続傘型ねじ山の形状に影響されずに、釘をスムースに板材の奥まで叩きこむことができる。引き抜く場合、直接に工具を使い、釘を回転して出せばよい。この仕組みで、板材表面の毀損、廃棄を避けることができ、気楽に且つ効率に釘を外すことが可能である。
【考案を実施するための最良の形態】
【０００９】
前述した本考案の技術内容、特徴及び効用は、以下の好ましい実施例の図面を借りて詳述する。
本考案を詳述する以下の内容には、相似な部品は同じ符号で表示することがあるので、注意してください。
図２を参照する。本考案の釘2の好ましい実施例を示している。頭部21、頭部と繋ぐ胴部22、頭部の表面を螺旋状に刻む連続傘型ねじ山23が含まれている。前記頭部21の上に締め付け部211が設けられている。止め工具をそこに嵌め合わせてから頭部21を回すことが可能である。また、当該締め付け部211の孔形状は星型、一字型、四角形に作製することができるが、本実施例において、星型になっている。一方、前記胴部22の下側に先端部221がある。前記連続傘型ねじ山23は先端部221から頭部21の方向に向かって延長している上に、頭部21と近い方向に耐力面231が設けられている。耐力面231と反対している方向に縁側面232があり、前記耐力面及び縁側面232を接続する周縁面233がある。なお、前記耐力面231の外径は縁側面232の外径より大きい。
【００１０】
図３を参照すること。釘を止めるときに、当該釘2は叩き工具(例：ハンマー)により頭部21を叩き、先端部221は板材3の内部に入り、最後に釘2全体が板材3の中に沈み、釘2を板材3に固定する目的を達成する。但し、釘を叩くときに、胴部22の表面に連続螺旋状に刻む連続傘型ねじ山23は連続の形になっているし、連続傘型ねじ山23の耐力面231の外径は縁側面232の外径より大きいため、前記耐力面231と縁側面232を繋ぐ周縁面233は傾斜状態になっている。その上に、前記連続傘型ねじ山23の伸び出したかさは胴部22の直径よりやや大きいため、前記連続傘型ねじ山23は釘を止めるときに邪魔にならない上に、前記傾斜している周縁面233により押されるため、胴部22をスムースに板材3の中に叩き込むことができる。
【００１１】
なお、釘2を取り抜く場合、工具(例：空圧ドライバなど、図面に未表示)を利用すればよい。つまり、前記空圧工具を前記締め付け部211に固定してから回転する。胴部22の表面に刻む連続傘型ねじ山を利用して、釘2全体を回転して外まで取り出すことができる。よって、利用者は釘2を取り外すときに、力または時間を無駄にすることなく、気楽に釘2を板材3から快速に且つスムースに取りぬけることができる。同時に、板材3表面を毀損せずに釘2を取り外すことができる。確実に板材3表面をきれいに保つことができる以外、釘を取り外して、当該板材をリサイクル使用することができるため、板材の無駄使いにならない。
【００１２】
本考案の釘2は図４のような複数配列に表現することができ、または図５のように、釘2を銅線で接続し、2本の釘2はその間に隙間を残して設置する配列に表現することができる。言い換えれば、複数の釘2をいかなる状態の配列でも、利用者はエア釘打ち機(図面に未表示)を利用し、気楽に釘2を板材3にとめることができる。以下は図４を例として説明する。つまり、当該釘2を図４のように配列させたい場合、まず、釘2の頭部21の一部分を削り、端面212を作る。その後、順次に前記端面212を同じ方向に従い配置し、且つ前記端面212を隣の釘2の胴部を接触させてから隣の釘2の頭部21の下方に置く。これにより、複数の釘2は階段のように配列させ、エア釘打ち機を利用して直接に固定することができる。
【００１３】
前記内容をまとめると、本考案は主に釘の胴部にある連続傘型ねじ山を利用して、利用者は釘を板材の中にとめるときまたは外すときは、時間または力を無駄にすることなくスムースに完成することが可能である。また、釘を取り外してから、当該板材をリサイクル使用することができるため、板材の無駄使いにならない。一方、連続傘型ねじ山には頭部と近い耐力面及び前記耐力面と反対している方向の縁側面があり、その上に、前記耐力面の外径は縁側面の外径より大きいため、その間を繋ぐ周縁面は傾斜状態になっている。そのため、前記連続傘型ねじ山は釘をとめるときに邪魔にならないし、前記傾斜している周縁面により押されているため、釘はスムースに板材の中にとめることができ、本考案の目的を達成することができる。
【図面の簡単な説明】
【００１４】
【図１】周知の釘の立体図である。
【図２】本考案の好ましい実施例の立体図である。
【図３】好ましい実施例の釘をとめる動作及び釘を取り外す動作の概略図である。
【図４】本考案の釘が複数配列になる場合の表示図である。
【図５】当該釘のほかの複数配列の場合の表示図である。
【符号の説明】
【００１５】
1、2  釘
11、21  頭部
111、211  締め付け部  
212  端面
12、22  胴部  
121、221  先端部
13  ねじ山  
131  槽
132  上切削面  
133  下切削面
23  連続傘型ねじ山  
231  耐力面
232  縁側面  
233  周縁面
3  板材  
4  銅線
【図１】
0003133009.tif 000003
【図２】
0003133009.tif 000004
【図３】
0003133009.tif 000005
【図４】
0003133009.tif 000006
【図５】
0003133009.tif 000007